(57)【要約】【課題】ユーザーが編集したい部分のみを編集した新たな原稿を生成できる情報処理装置を提供する。【解決手段】情報処理装置は、マーキング検出部と、画像判別部と、画像データ生成部とを備える。マーキング検出部は、原稿画像データのマーキングが施された特定領域を検出する。画像判別部は、特定領域内の画像から少なくとも非削除画像を判別する。画像データ生成部は、原稿画像データの特定領域に含まれるすべての画像を削除するとともに特定領域に非削除画像を復元した復元画像データを生成する。【選択図】図４
2020005144.tif 000002
【特許請求の範囲】
【請求項１】
マーキングが施された原稿画像データを取得し、前記原稿画像データのマーキングが施された領域に画像処理を施す情報処理装置であって、
前記原稿画像データの前記マーキングが施された特定領域を検出するマーキング検出部と、
前記特定領域内の画像から少なくとも非削除画像を判別する画像判別部と、
前記原稿画像データの前記特定領域に含まれるすべての画像を削除するとともに前記特定領域に前記非削除画像を復元した復元画像データを生成する画像データ生成部と、を備える情報処理装置。
【請求項２】
前記画像判別部は、前記原稿画像データからその書式を認識し、前記書式に基づいて、前記非削除画像を判別する請求項１に記載の情報処理装置。
【請求項３】
前記非削除画像の情報が格納されたデータベースを記憶した記憶部をさらに備え、
前記画像判別部は、前記データベースの前記非削除画像の情報を参照して前記非削除画像を判別する請求項１又は請求項２に記載の情報処理装置。
【請求項４】
前記原稿画像データは、楽譜の画像データであり、
前記非削除画像には、５線譜が含まれる請求項１から請求項３のいずれかに記載の情報処理装置。
【請求項５】
前記画像データ生成部は、特定領域の両端に接する５線譜を直線でつないで復元する請求項４に記載の情報処理装置。
【請求項６】
前記非削除画像には、音楽記号が含まれる請求項４又は請求項５に記載の情報処理装置。
【請求項７】
前記画像データ生成部は、前記復元画像データの前記特定領域に別途用意されている画像を重ねあわせて追加した追加画像データを生成する請求項１から請求項６のいずれかに記載の情報処理装置。
【請求項８】
請求項１から請求項７のいずれかに記載の情報処理装置と、
前記情報処理装置が生成した画像データをシート状の記録媒体に印刷する印刷部と、を備えた画像形成装置。
【発明の詳細な説明】
【技術分野】
【０００１】
本発明は、読み取った原稿から新たな原稿を生成する情報処理装置に関し、情報処理装置を備えた画像形成装置に関する。
【背景技術】
【０００２】
文章の一部を空白にし、その空白部分の文言を解答させる、いわゆる、穴埋め問題を作成する情報処理装置が、例えば、特許文献１等に開示されている。特許文献１の情報処理装置は、任意の文言に手書きのマーキングが施された原稿を画像読取部で読み取る。そして、読み取った画像から文字列に重畳されたマーキングを識別し、マーキングが重畳された文字列に空欄画像を重ねて合成することで、文章内の一部を空白にした、穴埋め問題を作成できる。
【先行技術文献】
【特許文献】
【０００３】
【特許文献１】特開２００７−４５２３号公報
【発明の概要】
【発明が解決しようとする課題】
【０００４】
特許文献１の情報処理装置では、読み取った文章の画像データのマーキングが重畳された文字列を含む領域に空欄画像を重ねて合成して、穴埋め問題の画像データを生成している。そのため、文字列に加えて空欄に置き換えたくない部分も空欄に置き換えられてしまう場合があり、ユーザーの利便性が低下する場合がある。
【０００５】
本発明は、上記従来技術の問題点に鑑み、ユーザーが編集したい部分のみを編集した新たな原稿を生成できる情報処理装置及び画像形成装置を提供することを目的とする。
【課題を解決するための手段】
【０００６】
上記目的を達成するために、本発明に係る情報処理装置は、マーキングが施された原稿画像データを取得して、原稿画像データのマーキングが施された領域に画像処理を施す。情報処理装置は、マーキング検出部と、画像判別部と、画像データ生成部とを備える。マーキング検出部は、原稿画像データのマーキングが施された特定領域を検出する。画像判別部は、特定領域内の画像から少なくとも非削除画像を判別する。画像データ生成部は、原稿画像データの特定領域に含まれるすべての画像を削除するとともに特定領域に非削除画像を復元した復元画像データを生成することを特徴とする。
【発明の効果】
【０００７】
本発明によれば、ユーザーが編集したい部分のみを編集した新たな原稿を生成できる情報処理装置及び画像形成装置を提供することができる。
【図面の簡単な説明】
【０００８】
【図１】本発明にかかる画像形成装置の一例である複合機の機能ブロック図である。
【図２】図１に示す複合機の概略図である。
【図３】複合機でマーキング部分を削除する手順を示す図である。
【図４】マーキングの例を示す原稿画像データの図である。
【図５】マーキングの例を示す原稿画像データの図である。
【図６】マーキングの例を示す原稿画像データの図である。
【図７】複合機で削除画像を削除した画像を生成する手順を示す図である。
【図８】複合機で削除画像を削除した画像を生成する手順を示す図である。
【図９】複合機で削除画像を削除した画像を生成する手順を示す図である。
【図１０】複合機で削除画像を削除した画像を生成する手順を示す図である。
【発明を実施するための形態】
【０００９】
以下、図面を参照して、画像形成装置として複合機１００を例に挙げ、本発明の実施形態を説明する。本実施の形態に記載されている構成、配置等の各要素は、発明の範囲を限定せず、単なる説明例にすぎない。
【００１０】
（第１実施形態）
図１は、本発明にかかる画像形成装置の一例である複合機の機能ブロック図である。図２は、図１に示す複合機の概略図である。
【００１１】
図１は、複合機の主要構成を示す機能ブロック図である。図２は複合機の一例の概略構成を示す図である。なお、以下の説明では、図２に示す複合機１００を基準として、図中手前側を前方（正面側）と定義する。
【００１２】
（複合機１００）
複合機１００は、例えば、コピー機能、プリンター機能、スキャナー機能及びＦＡＸ機能等の複数の機能を兼ね備えた複合機である。
【００１３】
図１、図２に示すように、複合機１００には制御部１、印刷部２、記憶部３が設けられる。また、複合機１００は、画像読取部４、原稿搬送部５、操作パネル６と、通信部７と、を含む。
【００１４】
制御部１は、複合機１００の全体制御を司る。制御部１は、ＣＰＵ１１を含む。また、複合機１００には、ＲＯＭ、ＨＤＤやフラッシュＲＯＭのような不揮発性メモリーとＲＡＭのような揮発性のメモリーを含む記憶部３が設けられる。記憶部３は、制御に関するプログラムやデータを記憶する。制御部１は、記憶部３のプログラムやデータを利用して各部を制御する。制御部１は、コピーや送信のようなジョブのときに行われるスキャン、印刷、送信、画像データの記憶を制御する。また、記憶部３には、後述する削除画像と非削除画像とが格納されたデータベース３１を備える。
【００１５】
また、制御部１には、画像処理部１２が備えられる。画像処理部１２は、記憶部３に記憶された画像データ、原稿を画像読取部４で読み取って生成された画像データ又は通信部７を介して外部の機器から送られた画像データに対して画像処理を行う。詳細については後述するが、画像処理としては、例えば、画像データに含まれるマーカーを検出し、マーカーが付与された部分に対して、予め決められた処理を行う。画像処理部１２の詳細については、後述する。
【００１６】
なお、複合機１００において画像処理部１２は、制御部１を構成する回路の一部に含まれる回路である。しかしながら、これに限定されない。制御部１のＣＰＵ１１で動作するプログラムとして供給されてもよい。プログラムとして供給される場合には、制御部１に備えられている記憶装置に記憶されていてもよいし、記憶部３に記憶されていてもよい。また、画像処理部１２が制御部１とは独立した回路として備えられてもよい。なお、画像処理部１２は、情報処理装置の一例である。
【００１７】
（印刷部２）
印刷部２は、給紙部２ａ、搬送部２ｂ、画像形成部２ｃ、定着部２ｄ及び用紙排出部２ｅを含む。給紙部２ａは、用紙を供給する。搬送部２ｂは、用紙を搬送し、印刷済み用紙を機外に排出する。画像形成部２ｃは、画像データに基づきトナー像を形成し、搬送される用紙にトナー像を転写する。定着部２ｄは、転写されたトナー像を用紙に定着させる。制御部１は印刷部２の動作を制御する。
【００１８】
図２に示すように、給紙部２ａは、複数の給紙カセット２１を備える。複数の給紙カセット２１には、大きさ又は方向の少なくとも一方が異なる用紙が収納される。制御部１は、適切な用紙が収容された給紙カセット２１を選択する。そして、給紙部２ａは、制御部１からの指示に従って、選択された給紙カセット２１から用紙を繰り出す。
【００１９】
図２に示すように、複合機１００は、上下方向の中間部に排紙トレイ２２を備える。定着部２ｄで画像が定着された用紙は、用紙排出部２ｅによって、排紙トレイ２２に排出される。
【００２０】
（画像読取部４）
画像読取部４は、制御部１の制御に基づいて、画像読取部筐体の上面に載置された、原稿の画像を読み取り、画像データを生成する。図２に示すように、画像読取部４は、原稿を載置するためのコンタクトガラス４１（原稿台）を備えている。画像読取部４は、さらに、コンタクトガラス４１に載置された原稿を押える開閉自在の原稿押えカバー４２と、コンタクトガラス４１に載置された原稿又はコンタクトガラス４１へ搬送される原稿の各画像を読み取る読取機構４３とを備えている。
【００２１】
（原稿搬送部５）
原稿搬送部５は、制御部１の制御に基づいて、原稿を画像読取部４のコンタクトガラス４１に搬送する。原稿搬送部５は、原稿が載置される原稿載置台５１と、画像読み取り済みの原稿が排出される原稿排出部５２と、原稿搬送機構５３と、を備える（図２参照）。原稿搬送機構５３は、原稿載置台５１に載置された原稿を１枚ずつ繰り出してコンタクトガラス４１へ搬送する。コンタクトガラス４１に搬送された原稿は読取機構４３によって読み取られた後、原稿排出部５２に排出される。
【００２２】
さらに原稿搬送部５は、図２の紙面奥側にヒンジ（不図示）を備えている。原稿搬送部５は、ヒンジを中心として前方がコンタクトガラス４１に対して接近又は離間するように回動する。原稿搬送部５の前方側を上方に移動させてコンタクトガラス４１上面を開放することにより、コンタクトガラス４１の上面に原稿を使用者が載置できるようになっている。原稿をコンタクトガラス４１に直接載置して、原稿の読み取りができる。
【００２３】
複合機１００では、原稿搬送部５により搬送された原稿又はコンタクトガラス４１に載置された原稿を画像読取部４が光学的に読み取り、画像データを生成する。画像読取部４により生成された画像データは内蔵の記憶部３又はネットワーク接続されたコンピューター等に保存される。
【００２４】
（操作パネル６）
操作パネル６は、表示パネル６１、タッチパネル６２、ハードキー６３を含む。タッチパネル６２は、使用者のタッチ位置を検知するためのものである。制御部１は、タッチパネル６２の出力に基づき、表示パネル６１に表示されたキーやボタンのような操作画像のうち、操作されたものを認識する。ハードキー６３は、ジョブの実行開始を指示するためのスタートキーや、数字を入力するためのテンキーを含む。制御部１は、操作パネル６の状態や各種メッセージや設定用画面を表示パネル６１に表示させる。また、操作パネル６は、スキャンやコピーのようなジョブに関し、タッチパネル６２、ハードキー６３に対する設定操作を受け付ける。
【００２５】
（通信部７）
通信部７は、ＰＣのようなコンピューター２００、サーバー３００及びＦＡＸ装置４００等と、有線及び（又は）無線ネットワーク、公衆回線等を介して通信可能に接続される。また、これら以外の機器であって、画像データのやり取りを行う機器が接続される場合もある。
【００２６】
（複合機の動作について）
複合機１００の動作について、画像を参照して説明する。図３は、複合機でマーキング部分を削除する手順を示す図である。図３は、動作の流れを示すフローチャートであり、各ステップでは、左側に動作を、右側に処理後の画像データを示している。また、本実施形態の複合機１００では、マーキングを付与した楽譜を画像読取部４で読み取るものとする。
【００２７】
例えば、学校や研修施設等において、定期的に或いは講習の最後のまとめにテストを行う場合がある。このようなテストにおいて、手持ちの原稿の一部を空白にした、いわゆる、穴埋め問題が用いられることが多い。複合機１００では、予めマーキングが施された原稿を画像読取部４で読み取る。そして、画像読取部４で読み取った原稿画像データは、画像処理部１２に送られる。画像処理部１２は、マーキングされた部分の情報が消された原稿画像データ、すなわち、穴埋め問題の画像データを生成する。以下に、複合機１００による穴埋め問題の画像データの生成の詳細について説明する。
【００２８】
まず、画像処理部１２の詳細について説明する。図１に示すように、画像処理部１２は、マーキング検出部１２１と、画像判別部１２２と、画像データ生成部１２３とを含む。マーキング検出部１２１、画像判別部１２２及び画像データ生成部１２３は、画像処理部１２が回路の場合、画像処理部１２の一部を構成する回路である。また、画像処理部１２がプログラムの場合、画像処理部１２の一部を構成するプログラムである。
【００２９】
マーキング検出部１２１は、原稿画像データＰｔ１１に含まれるマーキングＭｋ１を検出する。マーキング検出部１２１は、原稿画像データＰｔ１１にマーキングＭｋ１が含まれるか否か確認する。そして、マーキング検出部１２１は、マーキングＭｋ１が設けられている部分を、特定領域Ａｒ１として認識する。
【００３０】
画像判別部１２２は、マーキング検出部１２１で特定された特定領域Ａｒ１に含まれる画像から、非削除画像Ｕｄ１を判別する。非削除画像Ｕｄ１については、ユーザーからの指示に基づいて判別するようにしてもよいし、記憶部３に記憶されているデータベース３１の情報から、非削除画像Ｕｄ１を判別してもよい。また、画像判別部１２２は、読み取った画像の種類（ここでは、楽譜）から、非削除画像Ｕｄ１を決定するようにしてもよい。なお、画像判別部１２２は、非削除画像Ｕｄ１に加えて、削除画像Ｄｐ１も判別してもよい。
【００３１】
画像データ生成部１２３は、原稿画像データＰｔ１１の特定領域Ａｒ１に含まれる画像を削除し、非削除画像Ｕｄ１を復元した、復元画像データＰｔ１３を生成する。なお、本実施形態において、画像処理部１２は、復元画像データＰｔ１３を出力画像データとして出力する。印刷部２で用紙に記録されてもよいし、通信部７を介して外部に送信されてもよい。なお、いずれの場合においても、出力画像データは、記憶部３に記憶される。このような構成の画像処理部１２において、原稿画像データＰｔ１１から復元画像データＰｔ１３を生成する手順について説明する。
【００３２】
複合機１００において、画像読取部４で読み取った原稿画像データＰｔ１１は、画像処理部１２に送られる。なお、原稿画像データＰｔ１１は、一旦、記憶部３に収納された後、記憶部３から画像処理部１２に送られてもよい。また、コンピューター２００や、ＦＡＸ装置４００等から送られてきた画像データを原稿画像データＰｔ１１としてもよい。さらには、通信部７が、携帯情報端末や、デジタルカメラ等の撮像部を備えた外部機器と接続可能な構成の場合、外部機器で撮影した撮影画像データを、原稿画像データＰｔ１１としてもよい。
【００３３】
画像処理部１２は、原稿画像データＰｔ１１を上述の方法で取得する。そして、マーキング検出部１２１は、原稿画像データＰｔ１１に含まれるマーキングＭｋ１を検出する。マーキングＭｋ１として、ここでは、特定の色で塗りつぶしたものを採用している。なお、図３では、特定の色で塗りつぶしていることを示すために、ハッチングを利用している。そして、マーキング検出部１２１は、マーキングＭｋ１が施されている部分を、特定領域Ａｒ１として特定する（図３、ステップＳ１０１）。
【００３４】
マーキングＭｋ１が検出され、特定領域Ａｒ１が特定された後、画像判別部１２２は、特定領域Ａｒ１に含まれる画像から、最終的な画像では削除しない非削除画像Ｕｄ１を判別する。
【００３５】
ここで、削除画像Ｄｐ１と非削除画像Ｕｄ１との判別方法について説明する。例えば、楽譜における５線譜のように、一般的な書式を含む場合、画像データ内の一部を削除しても、書式は削除しないことが好ましい。そのため、画像判別部１２２は、原稿画像データを受け取ると、データベース３１を参照して、一般的な書式（ここでは、５線譜）が含まれているか否か確認する。そして、一般的な書式が含まれている場合には、画像判別部１２２は、一般的な書式と認識された画像を、非削除画像Ｕｄ１と判別する。このようにすることで、ユーザーの手間が省ける。
【００３６】
本実施形態の場合、読み取った原稿画像データＰｔ１１が、楽譜である。そのため、画像判別部１２２は、５線譜を非削除画像Ｕｄ１として判別する（図３、ステップＳ１０１）。
【００３７】
画像判別部１２２では、原稿画像データの書式を自動的に判別し、非削除画像Ｕｄ１を判別しているが、これに限定されない。例えば、操作パネル６がユーザーからの原稿画像データＰｔ１１の書式の情報の入力を受け付ける。そして、画像判別部１２２は、その書式の情報から、非削除画像Ｕｄ１を判別してもよい。
【００３８】
また、ユーザーからの書式の情報に基づいて、書式（５線譜）を削除画像Ｄｐ１としてもよい。この場合、画像判別部１２２は、特定領域Ａｒ１内の画像から削除画像Ｄｐ１（５線譜）を除いた画像、すなわち、音符を非削除画像Ｕｄ１とすることもできる。
【００３９】
さらに、ユーザーは、書式を入力する代わりに、削除画像Ｄｐ１の情報（ここでは、音符）を入力してもよい。画像判別部１２２は、特定領域Ａｒ１の全画像から、削除画像Ｄｐ１を除いた画像を、非削除画像Ｕｄ１と判別する。なお、本実施形態の画像判別部１２２では、削除画像Ｄｐ１及び非削除画像Ｕｄ１の両方を判別しているものとする。
【００４０】
画像データ生成部１２３は、マーキングＭｋ１で特定された特定領域Ａｒ１の情報をマーキング検出部１２１から取得する。また、画像データ生成部１２３は、画像判別部１２２から特定領域Ａｒ１内の削除画像Ｄｐ１及び非削除画像Ｕｄ１との情報を取得する。そして、画像データ生成部１２３は、原稿画像データＰｔ１１の特定領域Ａｒ１に含まれるすべての画像を削除した削除画像データＰｔ１２を作成する（図３、ステップＳ１０２）。
【００４１】
そして、画像データ生成部１２３は、削除画像データＰｔ１２において、特定領域Ａｒ１に非削除画像Ｕｄ１を復元する。ここでは、画像データ生成部１２３は、５線譜の特定領域Ａｒ１で分断されている両端を直線でつなぐ処理を行い、非削除画像Ｕｄ１を復元した復元画像データＰｔ１３を生成する（図３、ステップＳ１０３）。
【００４２】
以上のように、画像処理部１２では、原稿画像データＰｔ１１から、マーキングＭｋ１を検出し、マーキングＭｋ１が施された部分を特定領域Ａｒ１とする。そして、特定領域Ａｒ１に含まれる画像のうち、少なくとも、削除を行わない非削除画像Ｕｄ１を取得する。その後、特定領域Ａｒ１の全画像を削除した削除画像データＰｔ１２を作成した後、削除画像データＰｔ１２に非削除画像Ｕｄ１を復元した復元画像データＰｔ１３を出力する。なお、複合機１００では、画像処理部１２から出力された復元画像データＰｔ１３を、印刷部２に送り、用紙に印刷して、問題用紙を作成する。
【００４３】
このように、マーキングＭｋ１を検出して、部分的に画像を削除することができるので、コンピューター等を用いた編集作業が不要になるため、利便性が高い。また、修正液等を用いて、特定領域Ａｒ１を削除する方法もあるが、削除画像Ｄｐ１だけを修正液で消すのは、困難であるが、複合機１００を用いることで、削除画像Ｄｐ１だけを削除した画像を容易に作成できる。
【００４４】
（変形例）
本実施形態では、マーキングＭｋ１として、特定領域Ａｒ１を特定の色で塗りつぶす方法を採用している。しかしながら、これに限定されない。マーキングの例について、新たな図面を参照して説明する。図４〜図６は、マーキングの例を示す原稿画像データの図である。
【００４５】
図４に示す原稿画像データＰｔ２のマーキングＭｋ２のように、特定領域Ａｒ１の下部に下線を引くものであってもよい。マーキング検出部１２１は、５線譜のマーキングＭｋ２が形成されている領域を特定領域Ａｒ１に特定する。
【００４６】
また、図５に示す原稿画像データＰｔ３のマーキングＭｋ３のように、削除画像Ｄｐ１を囲む円であってもよい。このような構成とすることで、削除画像Ｄｐ１の特定が容易であるとともに、ユーザーによる楽譜（原稿）へのマーキングＭｋ３の書き込みが容易である。マーキング検出部１２１は、５線譜のマーキングＭｋ３で囲まれた部分を含む領域を特定領域Ａｒ１に特定する。
【００４７】
さらに、図６に示す原稿画像データＰｔ４のマーキングＭｋ４のように、削除画像Ｄｐ１に直接書き込んでもよい。このような構成とすることで、削除画像Ｄｐ１の特定が容易であるとともに、ユーザーによる楽譜（原稿）へのマーキングＭｋ４の書き込みが容易である。マーキング検出部１２１は、５線譜のマーキングＭｋ４が書き込まれた部分を含む領域を特定領域Ａｒ１に特定する。なお、図６に示す原稿画像データＰｔ４では、「×」マークとしているが、これに限定されない。例えば、横線を削除画像Ｄｐ１に重ねるようにしてもよい。このようなマーキングＭｋ４を利用することで、和音の音符の一部のみを削除画像とすることも可能である。
【００４８】
以上示したマーキングは、一例であり、これに限定されない。画像処理部１２のマーキング検出部１２１が原稿画像データから確実に検出できるマーキングを広く採用することができる。また、マーキング検出部１２１が複数種類のマーキングを検知できるようにしてもよい。マーキング検出部１２１が複数種類のマーキングを検知可能な場合において、マーキングの種類によって、削除画像と非削除画像とを判別できるようにしてもよい。
【００４９】
（第２実施形態）
本発明にかかる複合機の他の例について図面を参照して説明する。図７は、複合機で削除画像を削除した画像を生成する手順を示す図である。本実施形態の複合機１００の構成については、第１実施形態の複合機１００と同じである。そのため、第２実施形態の説明では、複合機１００の各部について同じ符号を用いるとともに、詳細な説明は省略する。また、図７でも、図３と同様、各ステップにおいて、左側に動作を、右側に処理後の画像データを示す。また、図７に示すフローチャートにおいて、図３に示すフローチャートと実質上同じステップについては、同じ番号（ステップ）を付与し、詳細な説明は省略する。また図７に示す各ステップにおいて、図３のフローチャートと同じ画像データには、同じ符号を付すものとする。
【００５０】
図７のステップＳ１０１に示すように、原稿画像データＰｔ１４では、マーキングＭｋ１が施されている部分に、非削除画像Ｕｄ１に加えて、非削除画像Ｕｄ２を備える。非削除画像Ｕｄ２は、クレッシェンド記号である。つまり、本実施形態では、音符のみを削除画像Ｄｐ１とする。
【００５１】
マーキング検出部１２１は、原稿画像データＰｔ１４からマーキングＭｋ１を検知し、特定領域Ａｒ１を特定する。そして、画像判別部１２２は、特定領域Ａｒ１に含まれる画像から、削除画像Ｄｐ１を判別する（図７、ステップＳ１０１）。なお、削除画像Ｄｐ１を判別することで、非削除画像Ｕｄ１を判別することができる。一方で、非削除画像Ｕｄ２のように、記号の場合がある。この場合、画像判別部１２２は、データベースに記憶されている記号を参照して、マッチング等により非削除画像Ｕｄ２を判別できる。なお、非削除画像Ｕｄ２として、特定領域Ａｒ１内部に収まる記号としているが、一部が特定領域Ａｒ１に位置している記号を含んでもよい。
【００５２】
そして、画像データ生成部１２３は、特定領域Ａｒ１の全画像を削除した削除画像データＰｔ１２を生成し（図７、ステップＳ１０２）、その後、非削除画像Ｕｄ１及び非削除画像Ｕｄ２を復元した復元画像データＰｔ１５を生成する（図７、ステップＳ１０３）。このとき、非削除画像Ｕｄ１は、第１実施形態と同様に復元される。また、非削除画像Ｕｄ２は、画像判別部１２２からの情報に基づいて、非削除画像Ｕｄ２を削除画像データＰｔ１２に配置する。また、非削除画像Ｕｄ２として、一部が特定領域Ａｒ１に位置している記号は、一端、すべて削除して、復元画像データＰｔ１５を生成するときに、全体を復元する。しかしながら、これに限定されず、特定領域に含まれる部分のみを削除して、特定領域に含まれる部分を復元してもよい。
【００５３】
そして、画像データ生成部１２３は、記憶部３に記憶されている解答欄の画像Ｎｐ１を読み出す（図７、ステップＳ１０４）。そして、画像データ生成部１２３は、復元画像データＰｔ１５の特定領域Ａｒ１に、解答欄の画像Ｎｐ１を追加して、追加画像データＰｔ１６を生成する（図７、ステップＳ１０５）。
【００５４】
このように、記号等の非削除画像Ｕｄ２を含む場合でも、非削除画像Ｕｄ２を確実に復元できる。また、別途用意されている画像を追加することも可能である。
【００５５】
（第３実施形態）
本発明にかかる複合機の他の例について図面を参照して説明する。図８は、複合機で削除画像を削除した画像を生成する手順を示す図である。本実施形態の複合機１００の構成については、第１実施形態の複合機１００と同じである。そのため、第３実施形態の説明では、複合機１００の各部について同じ符号を用いるとともに、詳細な説明は省略する。また、図８でも、図３と同様、各ステップにおいて、左側に動作を、右側に処理後の画像データを示す。また、図８に示すフローチャートにおいて、図３に示すフローチャートと実質上同じステップについては、同じ番号（ステップ）を付与し、詳細な説明は省略する。また図８に示す各ステップにおいて、図３、図７のフローチャートと同じ画像データには、同じ符号を付すものとする。
【００５６】
図８のステップＳ１０１に示すように、原稿画像データＰｔ３１では、マーキングＭｋ３が施されている。そして、特定領域Ａｒ１に、非削除画像Ｕｄ１に加えて、非削除画像Ｕｄ２を備える。非削除画像Ｕｄ２は、クレッシェンド記号である。つまり、本実施形態では、音符のみを削除画像Ｄｐ１とする。
【００５７】
マーキング検出部１２１は、原稿画像データＰｔ３１からマーキングＭｋ３を検知し、特定領域Ａｒ１を特定する。マーキングＭｋ３は、削除画像Ｄｐ１を囲んでいる。そのため、マーキング検出部１２１を容易に判別できる。また、削除画像Ｄｐ１を容易に判別できることで、非削除画像Ｕｄ１及び非削除画像Ｕｄ２も容易に判別できる。（図８、ステップＳ１０１）。
【００５８】
そして、画像データ生成部１２３は、特定領域Ａｒ１の全画像を削除した削除画像データＰｔ１２を生成し（図８、ステップＳ１０２）、その後、非削除画像Ｕｄ１及び非削除画像Ｕｄ２を復元した復元画像データＰｔ１５を生成する（図８、ステップＳ１０３）。すなわち、非削除画像Ｕｄ１は、第１実施形態と同様に復元される。また、非削除画像Ｕｄ２は、第２実施形態と同様に復元して、復元画像データＰｔ１５を生成する。
【００５９】
そして、画像データ生成部１２３は、別途、読み込まれた読込画像Ｓｃ１を読出し、読込画像Ｓｃ１に含まれる、追加画像Ｓｐ１を検出する（図８、ステップＳ１０４１）。なお、読込画像Ｓｃ１は、別の楽譜データから読み出したデータであってもよいし、原稿画像データＰｔ３１の原稿において、５線譜から外れた位置に記載された画像を読み取ったものであってもよい。例えば、手書きの画像であることを判別して、手書きの画像を追加画像Ｓｐ１として認識するものを挙げることができるが、これに限定されない。
【００６０】
そして、画像データ生成部１２３は、復元画像データＰｔ３３の特定領域Ａｒ１に、追加画像Ｓｐ１を追加して、追加画像データＰｔ３４を生成する（図８、ステップＳ１０５）。
【００６１】
このように、複合機１００は、別途用意されている画像を削除画像Ｄｐ１を削除した後の領域に追加することができる。そのため、複合機１００は、原稿（楽譜）の修正、追加等の編集作業、及び、編集後の楽譜の清書を簡単に行うことが可能である。
【００６２】
（第４実施形態）
本発明にかかる複合機の他の例について図面を参照して説明する。図９は、複合機で削除画像を削除した画像を生成する手順を示す図である。本実施形態の複合機１００の構成については、第１実施形態の複合機１００と同じである。そのため、第４実施形態の説明では、複合機１００の各部について同じ符号を用いるとともに、詳細な説明は省略する。また、図９でも、図３と同様、各ステップにおいて、左側に動作を、右側に処理後の画像データを示す。また図９に示す各ステップにおいて、図３のフローチャートと同じ画像データには、同じ符号を付すものとする。
【００６３】
画像処理部１２において、画像判別部１２２は、原稿画像データに含まれる画像を判別できる。画像判別部１２２では、印刷による画像と手書きによる画像の判別が可能であるものとする。
【００６４】
例えば、音楽の編曲を行う場合、編曲作業は、ピアノ等の楽器を演奏しながら行われることが多く、編曲によって変更された音は、手書きにて楽譜に書きこまれる。図９に、編曲作業を行った後の原稿を読み込んだ、原稿画像データＰｔ５１を示す。原稿画像データＰｔ５１には、削除する音符にはマーキングＭｋ２が施され、手書きの音符Ｎｔ１を５線譜に書き込まれている。まず、マーキング検出部１２１は、マーキングＭｋ２を確認し、特定領域Ａｒ１を特定する（ステップＳ４０１）。なお、この動作は、上述のものと同じである。また、マーキングＭｋ２を採用しているが、これ以外のマーキングであってもよい。
【００６５】
画像判別部１２２は、特定領域Ａｒ１に手書きの画像が含まれていることを判別すると、手書きの音符Ｎｔ１を非削除画像Ｕｄ３として判別する。なお、本実施形態では、５線譜も非削除画像Ｕｄ１として判別するものとする。画像判別部１２２は、手書きの音符Ｎｔ１を認識すると、その形状に基づいて、手書きの音符Ｎｔ１の種類及び音の高さを認識する。そして、その情報は、画像データ生成部１２３に引き継がれる。
【００６６】
そして、画像データ生成部１２３は、特定領域Ａｒ１の全画像を削除した、削除画像データＰｔ１２を生成する（ステップＳ４０２）。画像データ生成部１２３は、非削除画像Ｕｄ１を復元する。この復元は上述と同じであるため省略する。また、画像データ生成部１２３は、画像判別部１２２から引き継がれた手書き音符Ｎｔ１（手書き画像）の情報に基づいて、音符Ｎｔ１１を復元した復元画像データＰｔ５２を生成する（ステップＳ４０３）。
【００６７】
このように、画像判別部１２２が手書き画像を判別可能な場合において、手書き画像を、非削除画像Ｕｄ３とすることで、印刷された楽譜等、画像の削除が困難な原稿の編集作業が容易になる。なお、本実施形態では、手書き画像が音符であったがこれに限定されない。例えば、文字や記号の場合もある。この場合も、手書き画像を印刷用に準備されている他の画像と同じ画像を用いて置換してもよい。また、手書き画像を置換可能な画像がない場合には、手書き画像をそのまま復元してもよいし、手書き画像と対応する画像データがないことを通知した後、ユーザーの指示に従って処理してもよい。
【００６８】
（変形例）
例えば、楽譜の場合において、修正個所を、手書きの音符ではなく、音の高さ及び長さを文章で指示する場合もある。このような場合にも、文章の内容を判断可能な場合には、文章の内容に合わせた音符に置換して、画像を復元してもよい。
【００６９】
（第５実施形態）
本発明にかかる複合機の他の例について図面を参照して説明する。図１０は、複合機で削除画像を削除した画像を生成する手順を示す図である。本実施形態の複合機１００の構成については、第１実施形態の複合機１００と同じである。そのため、第５実施形態の説明では、複合機１００の各部について同じ符号を用いるとともに、詳細な説明は省略する。図１０では、画像データの一部を円形状の内部に表示している。また、図１０でも、図３と同様、各ステップにおいて、左側に動作を、右側に処理後の画像データを示す。
【００７０】
上述の各実施形態では、読取を行う原稿として楽譜を挙げていた。しかしながら、これに限定されない。図１０に示すように、原稿用紙に書かれた文書を原稿画像データＬｔ１として読み取る。そして、マーキング検出部１２１は、原稿画像データＬｔ１のマーキングＭＬ１を検知し、マーキングＭＬ１が形成されている部分を特定領域Ａｒ２として特定する（ステップＳ２０１）。
【００７１】
画像判別部１２２は、データベース３１を参照することで、原稿画像データＬｔ１が、原稿用紙に書かれた文書であると認識し、非削除画像Ｎｄ１を判別する。このとき、データベース３１は、非削除画像Ｎｄ１が、上下に連続する上下線Ｎｄ１１と、上下線Ｎｄ１１を繋ぐ左右線Ｎｄ１２とを検出する。
【００７２】
そして、画像データ生成部１２３は、特定領域Ａｒ２に含まれる全ての画像を削除して、削除画像データＬｔ２を生成する（ステップＳ２０２）。そして、画像データ生成部１２３は、削除画像データＬｔ２において、特定領域Ａｒ２に非削除画像Ｎｄ１を復元した復元画像データＬｔ３を生成する（図１０、ステップＳ３０３）。ここでは、画像データ生成部１２３は、上下線Ｎｄ１１の特定領域Ａｒ１で分断されている両端を直線でつなぐ処理を行うとともに、他の部分と同じ間隔となるように左右線Ｎｄ１２を追加する。
【００７３】
このように、原稿画像データが、原稿用紙に書かれた文章でも、文言を削除し、原稿用紙の枠を復元した復元画像データを生成することができる。なお、ここでは、音符、原稿用紙を例に説明しているが、これに限定されない。方眼紙等、広く一般に共通して用いられるフォーマット上に作成されている文書、画像等を原稿としても、フォーマットを残して、画像だけ消去することが可能である。また、これら以外にも、例えば、問診票、チェックシート等の決められたフォーマット上に画像が形成されたものを原稿として採用することも可能である。
【００７４】
このように、情報処理装置（画像処理部）及び画像形成装置では、読み込み原稿から、５線譜、原稿用紙、方眼紙といった削除したくない画像を残しつつ音符、文字等の画像を削除した復元画像データを簡単に生成できる。これにより、例えば、原稿の一部を削除した、穴埋め問題のような、試験問題の作製が容易である。また、削除画像を削除した後の画像に対して、別途用意した画像を追加することも可能である。これにより、原稿の編集が容易であるとともに、編集後の原稿の清書が容易である。
【００７５】
以上、本発明の実施形態を説明したが、本発明の範囲はこれに限定されず、発明の主旨を逸脱しない範囲で種々の変更を加えて実施することができる。
【００７６】
本発明にかかる情報処理装置の一例は、マーキングＭｋ１が施された原稿画像データＰｔ１を取得し、原稿画像データＰｔ１１のマーキングＭｋ１が施された領域に画像処理を施す画像処理部である。画像処理部１２は、マーキング検出部１２１と、画像判別部１２２と、画像データ生成部１２３とを備える。マーキング検出部１２１は、原稿画像データＰｔ１１のマーキングＭｋ１が施された特定領域Ａｒ１を検出する。画像判別部１２２は、特定領域Ａｒ１内の画像から少なくとも非削除画像Ｕｄ１を判別する。画像データ生成部１２３は、原稿画像データＰｔ１１の特定領域Ａｒ１に含まれるすべての画像を削除するとともに特定領域Ａｒ１に非削除画像Ｕｄ１を復元した復元画像データＰｔ１３を生成する。
【００７７】
このような構成とすることで、特定領域内の画像で、ユーザーが残したい画像を残しつつ、ユーザーが削除したい画像を削除することが可能である。例えば、所定の書式（例えば、５線譜）は、そのまま残しつつ、書式を利用して記載された情報（例えば、音符）を削除することができる。これにより、原稿に対してマーカーを付与するといった簡単な作業であるため、編集作業が簡単になる。例えば、穴埋め問題を作成する場合でも、コンピューター等による編集作業が不要である。そのため、ユーザーの利便性が向上する。
【００７８】
上記構成において、画像判別部１２２は、原稿画像データＰｔ１１からその書式を認識し、書式に基づいて、非削除画像Ｕｄ１を判別する。このようにすることで、ユーザーの手間を省くことができ、利便性を向上できる。
【００７９】
上記構成において、非削除画像Ｕｄ１の情報が格納されたデータベース３１を記憶した記憶部３をさらに備える。そして、画像判別部１２２は、データベース３１の非削除画像の情報を参照して非削除画像Ｕｄ１を判別する。このように構成することで、例えば、印刷業者や原稿に対して専門的な知識がない人であっても、書式を維持して原稿の編集を行うことが可能である。
【００８０】
上記構成において、前記原稿画像データは、楽譜であり、非削除画像Ｕｄ１には、５線譜が含まれる。このとき、画像データ生成部１２３は、特定領域Ａｒ１の両端に残った５線譜を直線でつないで、非削除画像Ｕｄ１を復元してもよい。さらには、非削除画像Ｕｄ１には、音楽記号が含まれてもよい。このように構成することで、楽譜の編集や楽譜を用い穴埋め問題の作製が容易になる。
【００８１】
上記構成において、画像データ生成部１２３は、復元画像データＰｔ１３の特定領域Ａｒ１に別途用意されている画像Ｓｐ１を重ね合わせて追加した追加画像データＰｔ１６を生成する。このような構成とすることで、例えば、印刷物であったり、インクで書き込まれたりして、削除したい画像を削除すると、削除したくない画像（書式）も一緒に消してしまう場合であっても、元の書式を残しつつ画像の編集が可能である。そのため、原稿の編集を簡単に行える。また、情報処理装置で画像処理を行うだけで清書された画像データを得ることができるため、清書に要する手間を省くことも可能である。なお、別途用意されている画像Ｓｐ１としては、予め記憶部３に記憶されている画像であってもよい。また、別途、読み取られた画像データや、送信された画像データに含まれるものであってもよい。また、元の原稿において、手書きで書かれた画像であってもよい。
【産業上の利用可能性】
【００８２】
本発明は、コピー、プリンター、ＦＡＸ等の機能を備えた画像形成装置に利用可能である。
【符号の説明】
【００８３】
１      制御部                      ２      印刷部
２ａ    給紙部                      ２ｂ    搬送部
２ｃ    画像形成部                  ２ｄ    定着部
２ｅ    用紙排出部                  ３      記憶部
４      画像読取部                  ５      原稿搬送部
６      操作パネル                  ７      通信部
１１      ＣＰＵ                    １２      画像処理部
２１      給紙カセット              ２２      排紙トレイ
３１      データベース              ４１      コンタクトガラス
４２      原稿押えカバー            ４３      読取機構
５１      原稿載置台                ５２      原稿排出部
５３      原稿搬送機構              ６１      表示パネル
６２      タッチパネル              ６３      ハードキー
１００      複合機                  １２１      マーキング検出部
１２２      画像判別部              １２３      画像データ生成部
２００      コンピューター          ３００      サーバー
４００      ＦＡＸ装置
【図１】
2020005144.tif 000003
【図２】
2020005144.tif 000004
【図３】
2020005144.tif 000005
【図４】
2020005144.tif 000006
【図５】
2020005144.tif 000007
【図６】
2020005144.tif 000008
【図７】
2020005144.tif 000009
【図８】
2020005144.tif 000010
【図９】
2020005144.tif 000011
【図１０】
2020005144.tif 000012